(57)【要約】      （修正有）【課題】通常の机上作業とユーティリティ機器を使用したユーティリティ作業とを小さな労力で選択的に切り替えて実行することができる美感性と機能性とを兼ね備えたユーティリティスペースを備えた机を提供する。【解決手段】ユーティリティスペースを備えた机１は天板部２と、天板部２の下方に対向配置されている左右２組の側板部３Ｌ、３Ｒのみによって基本的な構造躯体が形成されており、天板部２には天板部２の一部を開口することによってユーティリティ機器５を収納しておくことができるユーティリティスペース７が形成され、上記開口部９にはユーティリティ機器５を使用する場合に上方に起こして拡開状態にし、ユーティリティ機器５を使用しない場合に手前に倒して閉塞状態にする回動式のユーティリティパネル１１が設けられている。【選択図】図１
0003144050.tif 000002
【実用新案登録請求の範囲】
【請求項１】
天板部と、天板部の下方に対向配置されている左右２組の側板部のみによって基本的な構造躯体が形成されている机において、
上記天板部には天板部の一部を開口することによって、ユーティリティ機器を収納しておくことができるユーティリティスペースが形成されており、上記開口部にはユーティリティ機器を使用する場合に上方に起こして拡開状態にし、ユーティリティ機器を使用しない場合に手前に倒して閉塞状態にする回動式のユーティリティパネルが設けられていることを特徴とするユーティリティスペースを備えた机。
【請求項２】
上記ユーティリティスペースはノート型パソコンの収納及び使用スペースであることを特徴とする請求項１記載のユーティリティスペースを備えた机。
【請求項３】
上記天板部は上記左右２枚の側板部の上端面に固定される固定天板と、該固定天板の上方に配置される開閉可能な可動天板とを備える二重天板構造であり、
上記可動天板の下面には上記固定天板との間に空間部を形成する枠台が取り付けられており、上記空間部の一部を利用して上記ユーティリティスペースが形成されていることを特徴とする請求項１または２記載のユーティリティスペースを備えた机。
【請求項４】
上記側板部は左右２枚の側板と、これらの側板の前端面と後端面に宛われる前妻板と、後妻板とを備える平面視コの字形状に形成されていることを特徴とする請求項１〜３のいずれかに記載のユーティリティスペースを備えた机。
【請求項５】
上記天板部の奥部寄りの下面には左右両端の側板部間に架け渡される配線ボックスが設けられており、上記ユーティリティスペース後方の天板部の空間には配線スペースが形成されていて、天板部の上面と、ユーティリティスペースの後面と、上記配線ボックスの上下面にはユーティリティ機器等から繰り出される電気配線を連通させるための配線用開口が設けられていることを特徴とする請求項１〜４のいずれかに記載のユーティリティスペースを備えた机。
【請求項６】
上記左右の側板部の後部コーナ部には平面視Ｌ字形状の回動式の目隠し板が取り付けられており、上記側板部の後部コーナ部と、目隠し板とによって囲まれた空間が配線補助スペースとして使用されることを特徴とする請求項１〜５のいずれかに記載のユーティリティスペースを備えた机。
【考案の詳細な説明】
【技術分野】
【０００１】
本考案は、通常の机上作業とユーティリティ機器を使用したユーティリティ作業とを選択的に切り替えて実行することができる美感性と機能性とを兼ね備えたユーティリティスペースを備えた机に関する。
【背景技術】
【０００２】
従来から机とパーソナルコンピュータの載置台としての機能を備えたコンピュータ収納机が下記の特許文献１に示すように発案されている。このコンピュータ収納机は回動式の天板の裏面に角箱状のコンピュータ台を備えたもので、天板全体を大きく回動操作することで、机上作業を行う場合と、パーソナルコンピュータを使用する場合とを切り替えるようにしている。
【０００３】
又、小型のノートパソコン用の可動式の収納台として下記の特許文献２に示すようなパソコンの机上用収納台が発案されている。このパソコンの机上用収納台は既存の机の上に載置して使用する引出し式の収納台で、パソコンを使用しない場合には載置台を奥部に移動させて収納状態にし、パソコンを使用する場合に載置台を手前に引き出して使用するようにしている。
【０００４】
【特許文献１】特開平１１−９３５３号公報
【特許文献２】特開平１０−２５４５８２号公報
【考案の開示】
【考案が解決しようとする課題】
【０００５】
上記従来のコンピュータ収納机とパソコンの机上用収納台によると、次のような問題があった。まず、特許文献１にかかるコンピュータ収納机の場合には、コンピュータ使用時に天板全体を上方に大きく持ち上げて回動しなければならず、上記天板にはコンピュータが収納されたコンピュータ台が設けられているから、その作業は極めて重労働であり、安全性の面でも問題視されていた。
又、パソコン、モニタを傾斜させた状態で使用する構造であるため、作業姿勢が通常の机上作業に比べて前傾姿勢になり、長時間のパソコンワークを行うユーザに対しては肩凝りや目の疲れを招く要因にもなり得る。又、機能性を重視した構造になっているため、配線スペース等の配慮は何らなされておらず、美感面でも問題を抱えている。
【０００６】
一方、特許文献２に係るパソコン机上用収納台の場合には、載置台を出し入れするだけであるから作業労働としては軽いが、机の上に机上用収納台の設置スペースを確保しなければならず、天板上面の全スペースを使用しての机上作業はできなくなってしまう。
又、上記特許文献１の場合と同様、機能性を重視した構造になっているため、配線スペース等の配慮は何らされておらず、美感面でも問題を抱えている。
【０００７】
本考案はこのような点に基づいてなされたものでその目的とするところは、通常の机上作業とユーティリティ機器を使用したユーティリティ作業とを小さな労力で選択的に切り替えて実行することができる美感性と機能性とを兼ね備えたユーティリティスペースを備えた机を提供することにある。
【課題を解決するための手段】
【０００８】
上記目的を達成するべく本考案の請求項１によるユーティリティスペースを備えた机は、天板部と、天板部の下方に対向配置されている左右２組の側板部のみによって基本的な構造躯体が形成されている机において、上記天板部には天板部の一部を開口することによって、ユーティリティ機器を収納しておくことができるユーティリティスペースが形成されており、上記開口部にはユーティリティ機器を使用する場合に上方に起こして拡開状態にし、ユーティリティ機器を使用しない場合に手前に倒して閉塞状態にする回動式のユーティリティパネルが設けられていることを特徴とするものである。
【０００９】
又、請求項２によるユーティリティスペースを備えた机は、請求項１に記載のユーティリティスペースを備えた机において、上記ユーティリティスペースはノート型パソコンの収納及び使用スペースであることを特徴とするものである。
【００１０】
又、請求項３によるユーティリティスペースを備えた机は、請求項１または２記載のユーティリティスペースを備えた机において、上記天板部は上記左右２枚の側板部の上端面に固定される固定天板と、該固定天板の上方に配置される開閉可能な可動天板とを備える二重天板構造であり、
上記可動天板の下面には上記固定天板との間に空間部を形成する枠台が取り付けられており、上記空間部の一部を利用して上記ユーティリティスペースが形成されていることを特徴とするものである。
【００１１】
又、請求項４によるユーティリティスペースを備えた机は、請求項１〜３のいずれかに記載のユーティリティスペースを備えた机において、上記側板部は左右２枚の側板と、これらの側板の前端面と後端面に宛われる前妻板と、後妻板とを備える平面視コの字形状に形成されていることを特徴とするものである。
【００１２】
又、請求項５によるユーティリティスペースを備えた机は請求項１〜４のいずれかに記載のユーティリティスペースを備えた机において、上記天板部の奥部寄りの下面には左右両端の側板部間に架け渡される配線ボックスが設けられており、上記ユーティリティスペース後方の天板部の空間には配線スペースが形成されていて、天板部の上面と、ユーティリティスペースの後面と、上記配線ボックスの上下面にはユーティリティ機器等から繰り出される電気配線を連通させるための配線用開口が設けられていることを特徴とするものである。
【００１３】
又、請求項６によるユーティリティスペースを備えた机は、請求項１〜５にいずれかに記載のユーティリティスペースを備えた机において、上記左右の側板部の後部コーナ部には平面視Ｌ字形状の回動式の目隠し板が取り付けられており、上記側板部の後部コーナ部と、目隠し板とによって囲まれた空間が配線補助スペースとして使用されることを特徴とするものである。
【００１４】
そして、上記手段によって以下のような作用が得られる。まず、天板部と左右２組の側板部のみによって机の基本的な構造躯体が形成されているから、部品の加工が容易でシンプルなデザインの机を提供することが可能になる。
又、ユーティリティ機器を収納し、使用することができるユーティリティスペースを設け、該ユーティリティスペース上方の天板部の開口部にユーティティパネルを設けたことによって、通常の机上作業とユーティリティ機器を使用したユーティリティ作業とを選択的に切り替えて実行することができる。
又、ユーティティパネルは天板部の一部に設けられているから、天板部に比べて格段に軽量であり、繰り返し行われるユーティティパネルの開閉作業も円滑に実行される。
【００１５】
又、上記ユーティリティスペースをノート型パソコンの収納及び使用スペースとして使用した場合には、ユーティリティパネルを閉塞して行う通常の机上作業と、ユーティリティパネルを拡開して行うノート型パソコンを使用してのユーティリティ作業とを同一の机を使用して効率的に実行できるようになる。
又、天板部を固定天板と可動天板とから成る二重天板構造にし、可動天板の下面に固定天板との間に空間部を形成し得る枠台を取り付け、上記空間部の一部にユーティリティスペースを形成した場合には、天板部の機械的強度を向上させ、重厚な造りの天板部を備えた机を提供できるようになる。又、空間部の有効利用を図ることができる。
【００１６】
又、側板部を側板と前妻板と、後妻板とを備える平面視コの字形状に形成した場合には、天板部の機械的強度を向上させ、脚部としての機能を側板部に持たせることが可能となる。
又、天板部と側板部とを接続する配線ボックスを設けた場合には机全体の機械的強度を向上させることができる。又、ユーティリティスペース後方に配線スペースを形成し、天板部の上面と、ユーティリティスペースの後面と、配線ボックスの上下面に配線用開口を設けた場合には、机上に載置される他のユーティリティ機器から繰り出された電気配線は天板部の上面に形成されている配線用開口から配線スペースに供給される。
【００１７】
又、ユーティリティスペース内に収納されているユーティリティ機器から繰り出された電気配線は、ユーティリティスペースの後面に形成されている配線用開口から配線スペースに供給される。
又、配線スペースに供給された電気配線は配線ボックスの上面の配線用開口から配線ボックス内に進入し、配線ボックスの下面の配線用開口から外部に引き出されるようになる。
従って、机の外観にほとんど電気配線が現れない状態で配線処理を行うことができ、ユーティリティスペースを備えた机の美感性を向上させ、机周りの掃除も楽になる。
【００１８】
又、左右の側板部の後部コーナ部に平面視Ｌ字形状の開動式の目隠し板を取り付けた場合には、側板部の後部コーナ部と目隠し板とによって囲まれた空間に上記配線ボックス下面の配線用開口から外部に引き出された電気配線を通すことができ、電気配線は外部からほとんど視認できない状態で配線処理される。
又、側板部の後部コーナ部と目隠し板とが組み合わさった部分の外観は無垢の柱材のように見えるから、ユーティリティスペースを備えた机の重厚感が向上する。
【考案の効果】
【００１９】
本考案のユーティリティスペースを備えた机によると、通常の机上作業とユーティリティ機器を使用したユーティリティ作業とを小さな労力で選択的に切り替えて実行することが可能になる。
又、机の外観や部屋の印象を損なわせるユーティリティ機器の電気配線がほとんど外部に現れないから美感性と上記機能性とを兼ね備えたユーティリティスペースを備えた机を提供することが可能になる。
【考案を実施するための最良の形態】
【００２０】
以下、図示の実施の形態を例にとって、本考案を実施するための最良の形態を説明する。
図１は本考案のユーティリティスペースを備えた机を示すユーティリティパネルを拡開した状態の斜視図、図２は同上、ユーティリティパネルを閉塞した状態の正面図、図３は同上、図２中のＡ−Ａ線における断面図、図４は同上、図２中のＢ−Ｂ線における断面図、図５は同上、平面図、図６は同上、図２中のＤ−Ｄ線における断面図、図７は同上、背面図、図８は同上、図３中のＣ部の拡大図、図９は同上、図３中のＦ部の拡大図、図１０は同上、図４中のＧ部の拡大図、図１１は同上、図２中のＥ−Ｅ線における断面図である。
【００２１】
本考案のユーティリティスペースを備えた机１は、天板部２と、天板部２の下方に対向配置されている左右２組の側板部３のみによって基本的な構造躯体が形成されている。
そして、上記天板部２には天板部２の一部を開口することによってユーティリティ機器５を収納しておくことができるユーティリティスペース７が形成されており、上記開口部９にはユーティリティ機器５を使用する場合に上方に起こして拡開状態にし、ユーティリティ機器５を使用しない場合に手前に倒して閉塞状態にする回動式のユーティリティパネル１１が設けられている。
【００２２】
又、本実施の形態では上記ユーティリティスペース７はユーティリティ機器５の一例であるノート型パソコン５Ａの収納及び使用スペースとして使用されており、該ユーティリティスペース７にはノート型パソコン５Ａの他、ノート型パソコン５Ａに付属するマウス６等が収納されている。
又、本実施の形態では上記天板部２は上記左右２組の側板部３Ｌ、３Ｒの上端面に固定される固定天板１３と、該固定天板１３の上方に配置される開閉可能な可動天板１５とを備える二重天板構造によって構成されている。
【００２３】
尚、本実施の形態に係るユーティリティスペースを備えた机１は役員室用の平机を想定したデザインとなっており、幅が１７５０〜１８００ｍｍ程度、奥行きが約７５０ｍｍ、高さが約７６０ｍｍになっている。又、天板部２と側板部３の材料としては一例として無垢のタモ材が使用されており、その表面にウレタンオイル仕上げが施されているものが使用されている。
又、ユーティリティスペースを備えた机１における天板部２の一例として下方空間にはキャスタ１７付きのサイドワゴン１９が収納されている。
【００２４】
固定天板１３と可動天板１５は共に矩形平板状をしており、可動天板１５の方が固定天板１３よりも周囲に張り出すように幾分、大きめに形成されており、板厚も可動天板１５の方が固定天板１３よりも幾分厚めに形成されている。
又、上記可動天板１５の中央より幾分、向かって左側の前方寄りの部分はコの字形状に切り欠かれており、当該切り欠かれた部分が上記開口部９になっている。そして、後述するユーティリティパネル１１によって机上作業時や不使用時に上記開口部９が閉塞されるようになっている。
【００２５】
可動天板１５の下面には上記固定天板１３との間に高さが５０〜６０ｍｍ程度の空間部２１を形成する枠台２３が取り付けられている、枠台２３は可動天板１５の各端辺から内側に６０ｍｍ程度入った位置に設けられており、複数本の枠材を可動天板１５の形状に合わせて台輪状に組み合わせることによって形成されている。
尚、枠台２３の材料としては一例として無垢または突板のウォールナット材が使用されており、その表面にはウレタンオイル仕上げが施されているものが使用されている。
【００２６】
又、上記枠台２３のうち、可動天板１５に形成されている上記開口部９の下方に設けられている部分は、上記空間部２１の一部を利用して上記ユーティリティスペース７を形成するための区画壁２７になっている。
又、上記区画壁２７の左右の側壁２７Ｌ、２７Ｒの奥部寄りの位置に一例として１口コンセント２８が１個ずつ設けられており、左側の側壁２７Ｌの手前側の位置に後述するユーティリティパネル１１の回動自由端側に取り付けられているシリンダー錠２９におけるスライド式のロックバー２９ａを受け入れる係合穴３１が設けられている。
【００２７】
又、左右の側壁２７Ｌ、２７Ｒにおける１口コンセント２８の取付部位の奥部には後述するユーティリティパネル１１の回動基端部に取り付けられているダンパーヒンジ３２の受け部材３２ａが取り付けられている。
又、上記区画壁２７の背面壁２７Ｂの中央には一例として角窓状の配線用開口３３Ａが形成されており、ユーティリティスペース７に収納されたユーティリティ機器５から繰り出された電気配線Ｌ等をユーティリティスペース７の後方の配線スペース３５に導くことができるようになっている。
【００２８】
そして、このようにして構成される可動天板１５は図３、４に示すように枠台２３の背面部において、ヒンジ３７によって固定天板１３に回動自在に取り付けられている。
尚、可動天板１５は常時は図１、９に示す固定ネジ３９によって回動自由端側が固定天板１５に固定されているが、ユーティリティ機器５の配線時等において、上記固定ネジ３９を外して、上記閉塞状態から拡開状態へと、姿勢を変更して配線作業等を行い易くする。
【００２９】
又、上記天板部２には上記ユーティリティスペース７の右側方の空間部２１を利用してプッシュオープン・クローズタイプの浅底の引出し４１が設けられている。
この他、可動天板１５の奥部の左右コーナ部付近には丸穴状の配線用開口３３Ｂが２個設けられており、可動天板１５上に載置される図示しない他のユーティリティ機器から繰り出された電気配線Ｌ等を上記配線用開口３３Ｂから下方の配線スペース３５に導くことができるように構成されている。
尚、上記配線用開口３３Ｂには図５に示すように一例としてＵ字状に切り欠かれた指掛け部４３ａを備えたキャップ４３が装着されるようになっている。
【００３０】
側板部３は左右２枚の側板４５Ｌ、４５Ｒと、これらの側板４５Ｌ、４５Ｒの前端面と後端面とに宛われる前妻板４７と、後妻部４９とを備える平面視コの字形状をした部材である。
そして、上記側板部３は対向するように左右に２組設けられており、上記前妻部４７と後妻部４９とを設けることによって上記天板部２を支える脚部としての機能を有するように構成されている。
【００３１】
又、上記天板部２の奥部寄りの下面には左右両端の側板部３Ｌ、３Ｒ間に架け渡されるように配線ボックス５１が設けられている。配線ボックス５１は、幅が１７００〜１７５０ｍｍ程度、奥行きが１５０〜２００ｍｍ程度、高さが約４４０ｍｍの角箱状の部材である。
又、配線ボックス５１の背面は開放されていて、図７に示す２枚の脱着パネル５３によって脱着状態を切り替えることができるようになっている。
尚、上記配線ボックス５１の背面に対する上記脱着パネル５３の装着は図示しないローラキャッチを使用して一例として行われており、脱着パネル５３の脱着作業を容易にする手掛り５５が図８に示すように脱着パネル５３の下端部に形成されている。
【００３２】
配線ボックス５１の外観に現れる前面と、上記脱着パネル５３は一例として無垢のタモ材によって形成されており、その表面には上記天板部２及び側板部３と同様、ウレタンオイル仕上げが施されている。
又、配線ボックス５１は図６に示すように補強用の仕切り壁５７によって左右２室に区画されており、配線ボックス５１の上面の両端部には上方の配線スペース３５と連通する配線用開口３３Ｃが形成されている。
【００３３】
又、配線ボックス５１の下面の両端部にも図３、４に示すように配線ボックス５１内に導かれた電気配線Ｌ等を外部に引き出すための配線用開口３３Ｄが形成されている。
又、上気仕切り壁５７の一部にも図６に示すように区画された配線ボックス５１の左右の２室を連通するための連絡用の配線開口３３Ｅが形成されている。
そして、配線ボックス５１はユーティリティスペースを備えた机１の外観に電気配線Ｌ等が露出しないようにする配線処理スペースとしての機能と、天板部２と側板部３との結合状態をより強固にしてユーティリティスペースを備えた机１の剛性を高める補強部材としての機能を有している。
【００３４】
ユーティリティパネル１１は上記開口部９を塞ぐ大きさの矩形平板状の部材で上記可動天板１５と同じ板厚の同じ材料の無垢のタモ材によって形成されており、その表面には可動天板１５と同様のウレタンオイル仕上げが施されている。
又、ユーティリティパネル１１の裏面には一例として３ｍｍ厚の小粒タイプのコルクシート５９がユーティリティパネル１１の裏面に形成されている凹部６１に落し込まれた状態で貼設されている。
【００３５】
又、ユーティリティパネル１１の裏面の回動自由端から３０ｍｍ程度内側に入った位置にユーティリティスペース７の前面開口を閉塞するための前板６３が設けられており、該前板６３の左端部に上述した係合穴３１と係合するロックバー２９ａを備えたシリンダー錠２９が取り付けられている。
又、ユーティリティパネル１１の裏面の回動基端の左右両端部にはダンパーヒンジ３２が取り付けられており、該ダンパーヒンジ３２の操作部材３２ｂを区画壁２７の左側の側壁２７Ｌに取り付けられている受け部材３２ａに接続することによって、ユーティリティパネル１１から不用意に手を離した場合でもユーティリティパネル１１はゆっくりと閉まり、ユーティリティパネル１１のスムーズな拡開動作を可能にしている。
尚、ユーティリティパネル１１の拡開角度θは約１０５°であり、ユーティリティパネル１１を拡開した状態が保持されるようになっている。
【００３６】
この他、図示のユーティリティスペースを備えた机１にあっては、左右の側板部３Ｌ、３Ｒの後部コーナ部に平面視Ｌ字形状の回動式の目隠し板６５Ｌ、６５Ｒが取り付けられている。
該目隠し板６５Ｌ、６５Ｒは図１１に示すようにスライド丁番６７によって回動自在に側板４５Ｌ、４５Ｒの内壁面に接続されており、後妻板４９の前面に設けられているマグネット６９と吸着する金属プレート７１が目隠し板６５Ｌ、６５Ｒの自由端の裏面に設けられている。
そして、上記側板部３の後部コーナ部と、上記目隠し板６５とによって回まれた空間が配線補助スペース７３になっている。
【００３７】
尚、上記目隠し板６５Ｌ、６５Ｒは側板部３Ｌ、３Ｒに取り付けられた状態で床面との間に５ｍｍ程度の隙間Ｓができるように取り付けられており、配線ボックス５１の下面に形成されている配線用開口３３Ｄから下方に繰り出された電気配線Ｌは上記配線補助スペース７３を通って、下方の隙間Ｓから外部に引き出されるようになっている。
そして、側板部３の後部コーナ部と目隠し板６５とが組み合わさった部分の外観は無垢の柱材のように見え、ユーティリティスペースを備えた机１の重厚感を向上させている。
【００３８】
以上の構成を基に本発明のユーティリティスペースを備えた机１の作用を（１）ユーティリティ機器を使用する場合と、（２）ユーティリティ機器を使用しない場合とに分けて説明する。
（１）ユーティリティ機器を使用する場合
ユーティリティ機器５を使用する場合には、シリンダー錠２９に図示しないキーを差し込んでロックバー２９ａを係合部３１から退去させる方向に回してロックを解除する。
次にユーティリティパネル１１の前方に張り出している前端部を持ってユーティリティパネル１１を上方に回動させて図１及び図２、３中、仮想線で示すように拡開状態にする。
【００３９】
そして、ユーティリティスペース７に現れたユーティリティ機器５の電源を入れて所望のユーティリティ作業を実行する。尚、ユーティリティパネル１１を拡開することによって現れたコルクシート５９にはメモ用紙等を画鋲等を使用して留めることができ、当該メモ用紙等を見ながらの文字入力等のユーティリティ作業ができるようになっている。
又、可動天板１５上面に他のユーティリティ機器、例えばプリンタ等を設置する場合には、ユーティリティスペース７の左右の側壁２７Ｌ、２７Ｒに設けられている１口コンセント２８、２８を使用してプリンタ等への電源供給ができるようになっている。
【００４０】
（２）ユーティリティ機器を使用しない場合
通常の机上作業を行ったり、作業を終えて帰宅するような場合には、ユーティリティパネル１１を図２、３中、実線及び図５に示すように閉塞状態にする。
この場合にはユーティリティ機器５の電源を落として収納可能な状態にし、拡開状態のユーティリティパネル１１の上方に位置している前端部を持って、ユーティリティパネル１１を下方に回動させて前板６３の下面が固定天板１３の上面に当接するまで倒して行く。
【００４１】
尚、本実施の形態ではダンパーヒンジ３２が設けられているから、回動途中に不用意にユーティリティパネル１１から手を離した場合でも、ユーティリティパネル１１はゆっくりと閉塞方向に回動する。従って、急激なユーティリティパネル１１の降下によって指を挟まれたりする不慮の事故の発生が未然に防止されている。
そして、シリンダー錠２９に図示しないキーを差し込んでロックバー２９ａを突出させる方向に回してユーティリティパネル１１の回動をロックする。
尚、ユーティリティパネル１１を閉塞した状態では、ユーティリティパネル１１の上面は可動天板１５の上面と面一になり、可動天板１５の一部として使用できるようになっている。
【００４２】
尚、本考案のユーティリティスペースを備えた机１は上記の形態に限定されず、その考案の要旨内での変更が可能である。例えば天板部２は二重天板構造に限らず、１枚の固定天板１３ないし１枚の可動天板１５のみによって構成されるものであっても構わない。そして、この場合にはユーティリティスペース７の底面を形成する棚板等を別途設けることが可能である。
又、ユーティリティスペース７に収納することのできるユーティリティ機器５としてはノート型パソコン５Ａに限らず液晶テレビ、テレビゲーム、あるいはテレビ電話機能や双方向通信機能を有するモニタ付きの端末等、種々のユーティリティ機器５が適用可能である。
【００４３】
又、ユーティリティパネル１１の裏面に貼設させるコルクシート５９に代えてクリップボードやマグネットシートを貼設することも可能である。
又、本考案のユーティリティスペースを備えた机１は、役員室用の平机に限らず、一般の事務机や学校、図書館、会議室等に設置される種々のタイプの机に適用することが可能である。
【産業上の利用可能性】
【００４４】
本校案は、通常の机上作業とユーティリティ機器を使用したユーティリティ作業とを選択的に切り替えて実行することができる多機能机の製造、使用分野等で利用でき、特に電気配線等の露出を防止して机周りの美観を重視したい場合に利用可能性を有する。
【図面の簡単な説明】
【００４５】
【図１】本考案の実施の形態を示す図で、ユーティリティスペースを備えた机を示すユーティリティパネルを拡開した状態の斜視図である。
【図２】本考案の実施の形態を示す図で、ユーティリティスペースを備えた机を示すユーティリティパネルを閉塞した状態の正面図である。
【図３】本考案の実施の形態を示す図で、ユーティリティスペースを備えた机を示す図２中のＡ−Ａ線における断面図である。
【図４】本考案の実施の形態を示す図で、ユーティリティスペースを備えた机を示す図２中のＢ−Ｂ線における断面図である。
【図５】本考案の実施の形態を示す図で、ユーティリティスペースを備えた机を示すユーティリティパネルを閉塞した状態の平面図である。
【図６】本考案の実施の形態を示す図で、ユーティリティスペースを備えた机を示す図２中のＤ−Ｄ線における断面図である。
【図７】本考案の実施の形態を示す図で、ユーティリティスペースを備えた机を示すユーティリティパネルを閉塞した状態の背面図である。
【図８】本考案の実施の形態を示す図で、ユーティリティスペースを備えた机を示す図３中のＣ部の拡大図である。
【図９】本考案の実施の形態を示す図で、ユーティリティスペースを備えた机を示す図３中のＦ部の拡大図である。
【図１０】本考案の実施の形態を示す図で、ユーティリティスペースを備えた机を示す図４中のＧ部の拡大図である。
【図１１】本考案の実施の形態を示す図で、ユーティリティスペースを備えた机を示す図２中のＥ−Ｅ線における断面図である。
【符号の説明】
【００４６】
１  （ユーティリティスペースを備えた）机
２  天板部
３  側板部
５  ユーティリティ機器
５Ａ  ノート型パソコン
６  マウス
７  ユーティリティスペース
９  開口部
１１  ユーティリティパネル
１３  固定天板
１５  可動天板
１７  キャスタ
１９  サイドワゴン
２１  空間部
２３  枠台
２７  区画壁
２８  １口コンセント
２９  シリンダー錠
２９ａ  ロックバー
３１  係合穴
３２  ダンパーヒンジ
３２ａ  受け部材
３２ｂ  操作部材
３３  配線用開口
３５  配線スペース
３７  ヒンジ
３９  固定ネジ
４１  引出し
４３  キャップ
４３ａ  指掛け部
４５  側板
４７  前妻板
４９  後妻板
５１  配線ボックス
５３  脱着パネル
５５  手掛り
５７  仕切り壁
５９  コルクシート
６１  凹部
６３  前板
６５  目隠し板
６７  スライド丁番
６９  マグネットラッチ
７１  金属プレート
７３  配線補助スペース
Ｌ  電気配線
θ  拡開角度
Ｓ  隙間
【図１】
0003144050.tif 000003
【図２】
0003144050.tif 000004
【図３】
0003144050.tif 000005
【図４】
0003144050.tif 000006
【図５】
0003144050.tif 000007
【図６】
0003144050.tif 000008
【図７】
0003144050.tif 000009
【図８】
0003144050.tif 000010
【図９】
0003144050.tif 000011
【図１０】
0003144050.tif 000012
【図１１】
0003144050.tif 000013